(57)【要約】      （修正有）【課題】天板下の空間を利用しやすい簡易ベッド及びそれを組み立てるための簡易ベッド組立キットを提供する。【解決手段】簡易ベッド組立キットが、天板部材４と、天板部材４を支持する支持部材５と、を有し、支持部材５は、簡易ベッド２００の長手方向に沿って重力方向に広がる板状の長手支持部材５ａと、簡易ベッド２００の短手方向に沿って重力方向に広がる板状の複数の短手支持部材５ｂとから構成され、長手支持部材５ａと短手支持部材５ｂは、それぞれに形成された開放スロット部により嵌合される。【選択図】図１
0003231746.tif 000002
【実用新案登録請求の範囲】
【請求項１】
天板部材と、
前記天板部材を支持する支持部材と、を有し、
前記支持部材は、簡易ベッドの長手方向に沿って重力方向に広がる板状の長手支持部材と、前記簡易ベッドの短手方向に沿って重力方向に広がる板状の複数の短手支持部材とから構成され、
前記長手支持部材と前記短手支持部材は、それぞれに形成された開放スロット部により嵌合される簡易ベッド組立キット。
【請求項２】
請求項１に記載の簡易ベッド組立キットにより組み立てた簡易ベッド。
【考案の詳細な説明】
【技術分野】
【０００１】
本考案は、ダンボールから構成される簡易ベッドに関するものである。
【背景技術】
【０００２】
従来、災害発生時に設けられる避難所での使用等を想定したダンボール製の簡易ベッドが提案されている。
【先行技術文献】
【特許文献】
【０００３】
【特許文献１】実用新案登録第３２０４２３６号公報
【特許文献２】実用新案登録第３２２２３４８号公報
【考案の概要】
【考案が解決しようとする課題】
【０００４】
従来のダンボール製の簡易ベッドは、箱型に形成されているため、天板下の空間を収利用しにくいという問題があった。
【０００５】
そこで、本願考案は、天板下の空間を利用しやすい簡易ベッド及びそれを組み立てるための簡易ベッド組立キットを提供することを目的とする。
【課題を解決するための手段】
【０００６】
上記課題を解決するため、本願考案に係る簡易ベッド組立キットは、
天板部材と、
前記天板部材を支持する支持部材と、を有し、
前記支持部材は、簡易ベッドの長手方向に沿って重力方向に広がる板状の長手支持部材と、前記簡易ベッドの短手方向に沿って重力方向に広がる板状の複数の短手支持部材とから構成され、
前記長手支持部材と前記短手支持部材は、それぞれに形成された開放スロット部により嵌合されるものとする。
【０００７】
また、上記課題を解決するため、本願考案に係る簡易ベッドは、上記簡易ベッド組立キットから組立てたものとする。
【考案の効果】
【０００８】
本願考案によれば、天板の下の空間を利用しやすい簡易ベッド及びそれを組み立てるための簡易ベッド組立キットを提供することができる。
【図面の簡単な説明】
【０００９】
【図１】本願の実施形態に係る簡易ベッドを示す図である。図１（ａ）は上面図、図１（ｂ）は短手方向に見た側面図、図１（ｃ）は下面図である。
【図２】本願の実施形態に係る簡易ベッドを示す図である。図２（ａ）は長手方向に見た側面図、図２（ｂ）は、ダンボールの交差部の断面図である。
【図３】本願の実施形態に係る簡易ベッド組立キット及び簡易ベッドの斜視図である。図３（ａ）は簡易ベッドを組み立てる状態、図３（ｂ）は簡易ベッドを示す。
【図４】本願の実施形態に係る簡易ベッド組立キットの長手支持部材を示す平面図である。図４（ａ）は開いた状態、図４（ｂ）は簡易ベッドに用いるために折り重ねた状態、図４（ｃ）は梱包用に折り重ねた状態を示す。
【図５】本願の実施形態に係る簡易ベッド組立キットの長手支持部材を示す斜視図である。図５（ａ）は開いた状態、図５（ｂ）は簡易ベッドに用いるために折り重ねる途中の状態、図５（ｃ）は簡易ベッドに用いるために折り重ねた状態を示す。
【図６】本願の実施形態に係る簡易ベッド組立キットの長手支持部材を示す図である。図６（ａ）は梱包用に折り重ねる途中の状態の斜視図、図６（ｂ）は梱包用に折り重ねた状態の斜視図、図６（ｃ）は折り重ねた状態のダンボールの拡大端面図である。
【図７】本願の実施形態に係る簡易ベッド組立キットの短手支持部材を示す図である。図７（ａ）は開いた状態を示す平面図、図７（ｂ）は折り重ねる途中の状態を示す斜視図、図７（ｃ）は折り重ねた状態を示す斜視図である。
【図８】本願の実施形態に係る簡易ベッド組立キットの端部天板部材を示す図である。図８（ａ）は開いた状態を示す平面図、図８（ｂ）は折り重ねる途中の状態を示す斜視図、図８（ｃ）は折り重ねた状態を示す斜視図である。
【図９】本願の実施形態に係る簡易ベッド組立キットの中央部天板部材を示す図である。図９（ａ）は開いた状態を示す平面図、図９（ｂ）は折り重ねる途中の状態を示す斜視図、図９（ｃ）は折り重ねた状態を示す斜視図である。
【考案を実施するための形態】
【００１０】
以下、本願考案の実施形態に係る簡易ベッド組立キット１００及び簡易ベッド組立キット１００から組み立てた簡易ベッド２００について説明する。なお、本願において、特別な記載がない限り、「長手方向」とは、図１（ａ）に示す簡易ベッド２００の平面の長手方向（図１（ａ）の左右方向）、「短手方向」とは、図１（ｂ）に示す簡易ベッド２００の平面の短手方向（図１（ａ）の上下方向）を意味するものとする。また、本願において、特別な記載がない限り、上下を言うときは、簡易ベッド２００を組み立て、ベッドとして使用する状態での上下を言うものとする。
【００１１】
図３（ａ）に示す本実施形態に係る簡易ベッド組立キット１００は、図３（ｂ）に示すように、天板部材４と、天板部材４を支持する支持部材５とを有する。天板部材４と支持部材５は、図６（ｃ）に示すように、それぞれ、一般に市販されているＡＢフルートと呼ばれるダンボールを折り重ねたものを、図２（ｂ）に示すように２枚重ねて形成される複数の構成部品から構成することが好ましい。これにより、量産されている安価なダンボールによって、十分な強度を有する簡易ベッド２００を組み立てることができる簡易ベッド組立キット１００を製造することができる。天板部材４と支持部材５は、長手方向及び短手方向において、互いに略同一の寸法を有する。ＡＢフルートは、図６（ｃ）に示すように、Ａフルート２と、Ａフルート２よりも厚みのあるＢフルート３を重ねて一体に形成したダンボールである。なお、ダンボールはＡＢフルートに限らず、Ａフルート、Ｂフルート、Ｅフルート、Ｇフルート、ＡＡフルート、ＥＢフルートまたはＮフルートのいずれか、または、これ以外のダンボールとすることもできる。
【００１２】
簡易ベッド組立キット１００の構成部材は、図６（ｃ）に示すように、Ａフルート２が内側、Ｂフルート３が外側に折り重ねられるように切れ込みが形成されていることが好ましい。具体的には、折り重ねた後に内側に配置されるＡフルート２のライナー（原紙）を残し、他のライナー及び中芯に、所定の位置で切れ込みを入れておき、その切れ込みに沿って折り重ねるように構成することが好ましい。本願の図においては切れ込みを１点鎖線で示している。
【００１３】
天板部材４は、一対の端部天板部材４ａと、一対の端部天板部材４ａの間に配置される中央部天板部材４ｂとを有することが好ましい。これにより天板部材４が細分化され、搬送の際の梱包が容易になる。一対の端部天板部材４ａは、互いに略同一の寸法を有する。一対の端部天板部材４ａの詳細は後述する。中央部天板部材４ｂは、図９に示すように長方形状のＡＢフルートを中央で折り重ねて形成する。
【００１４】
支持部材５は、長手方向に沿って重力方向に広がる板状の長手支持部材５ａと、短手方向に沿って重力方向に広がる板状の複数の短手支持部材５ｂとから構成される。長手支持部材５ａと短手支持部材５ｂは、それぞれに形成された開放スロット部５ａ１、５ｂ１により嵌合される。これにより、支持部材５の側部が開放され、天板部材４の下の空間を利用しやすくなる。例えば、天板部材４の下の空間を収納に利用する場合、ダンボール箱に入れた荷物を、床上を摺動させて短手支持部材５ｂの間の空間に出し入れすることができる。特に避難所においては、個人で利用できる空間の制約が厳しくなるが、本発明によれば、空間を有効に活用して避難生活の質を改善することができる。長手支持部材５ａは、長手方向において天板部材４と略同一の寸法を有する。短手支持部材５ｂは、短手方向において天板部材４と略同一の寸法を有する。
【００１５】
長手支持部材５ａは、図４（ａ）に示すように、開いた状態で、概略長方形状の平面形状を有し、図５（ａ）から図５（ｃ）に示すように中央を通る長手方向の切れ込みに沿って折り重ねたものを、２枚重ねて構成することが好ましい。短手支持部材５ｂは、図７（ａ）に示すように、概略長方形状の平面形状を有し、図７（ｂ）及び図７（ｃ）に示すように折り重ねたものを、２枚重ねて構成することが好ましい。
【００１６】
図５（ａ）に示すように、長手支持部材５ａには、両長辺部分にそれぞれ長手方向に間隔を空けて複数配置された開放スロット部５ａ１が形成されている。また、図７（ａ）に示すように、短手支持部材５ｂには、長辺側部分の長手方向の中央に開放スロット部５ｂ１が形成されている。
【００１７】
長手支持部材５ａは、簡易ベッド２００の組立ての際、図３（ａ）に示すように、開放スロット部５ａ１が上になるように配置され、その上から短手支持部材５ｂを、長手支持部材５ａの開放スロット部５ａ１と、短手支持部材５ｂの開放スロット部５ｂ１とが嵌合するように配置することで、支持部材５が形成される。
【００１８】
図５（ｃ）に示すように、長手支持部材５ａは、その両端に、主要部よりも上方に突出した一対の立上り部５ａ２を有する。一対の立上り部５ａ２の突出高さ（主要部との高さの差）は、ＡＢフルートの厚さの４枚分（約３４ｍｍ）とすることが好ましい。一対の端部天板部材４ａは、図８（ｃ）に示すように、立上り部５ａ２が嵌合する開放スロット部４ａ１を有する。
【００１９】
図３（ｂ）に示すように、端部天板部材４ａの開放スロット部４ａ１は、長手支持部材５ａの立上り部５ａ２に嵌合することで、天板部材４と支持部材５とが一体的に結合して、天板部材４が正規の位置からずれるのを防ぐことができる。
【００２０】
長手支持部材５ａは、図６（ａ）及び図６（ｂ）に示すように両端部を内側に折り重ねることができるように、図４（ａ）に示す梱包用切れ込み５ａ３が形成されていることが好ましい。これにより、簡易ベッド組立キット１００を梱包する際、図４（ｃ）に示すように長手方向の寸法を小さくして、梱包しやすいものとすることができる。
【００２１】
以上、本願考案の具合的な実施形態について説明したが、本願考案は上記に限定されるものではない。例えば、長手支持部材５ａを２本配置して、簡易ベッド２００の短手方向の寸法を大きくしたり、ダンボールを折り重ねたものを３枚重ねて構成部材としたりすることもできる。
【符号の説明】
【００２２】
２  Ａフルート
３  Ｂフルート
４  天板部材
４ａ  端部天板部材
４ａ１  開放スロット部
４ｂ  中央部天板部材
５  支持部材
５ａ  長手支持部材
５ａ１  開放スロット部
５ａ２  立上り部
５ａ３  梱包用切れ込み
５ｂ  短手支持部材
５ｂ１  開放スロット部
１００  簡易ベッド組立キット
２００  簡易ベッド
【図１】
0003231746.tif 000003
【図２】
0003231746.tif 000004
【図３】
0003231746.tif 000005
【図４】
0003231746.tif 000006
【図５】
0003231746.tif 000007
【図６】
0003231746.tif 000008
【図７】
0003231746.tif 000009
【図８】
0003231746.tif 000010
【図９】
0003231746.tif 000011